(57)【要約】【課題】既設ドア体から新設ドア体への付け替え作業が容易に行えるようにすること。【解決手段】既設ドア体を取り外した既設ドア枠体に、新設ドア枠体を外方より被覆する状態に取り付け、同新設ドア枠体に新設ドア体を開閉自在に取り付けている。このようにして、既設ドア体を新設ドア体に付け替える必要性が生じた場合には、既設ドア枠体とは別に新設ドア枠体を外方より被覆する状態に取り付けることにより、同新設ドア枠体に、新設の蝶番を介して、新設ドア体を確実に取り付けることができる。【選択図】　　　　図１
2004027590.tif 000002
【特許請求の範囲】
【請求項１】
既設ドア体を取り外した既設ドア枠体に、新設ドア枠体を外方より被覆する状態に取り付け、同新設ドア枠体に新設ドア体を開閉自在に取り付けることを特徴とするドア体取付構造。
【請求項２】
既設ドア体を取り外した既設ドア枠体の内周面に、取付用枠体を嵌合させて取り付け、同取付用枠体に外枠体を外方より取り付け、同外枠体の内周面に新設ドア枠体を嵌合状態に取り付け、同新設ドア枠体に新設ドア体を開閉自在に取り付けることを特徴とする請求項１記載のドア体取付構造。
【請求項３】
外枠体は、新設ドア枠体よりも上方へ伸延させて形成し、同外枠体の上部に外灯や表札等を取り付け可能な化粧パネルを張設することを特徴とする請求項２記載のドア体取付構造。
【発明の詳細な説明】
【０００１】
【発明の属する技術分野】
本発明は、ドア体取付構造に関する。
【０００２】
【従来の技術】
従来、例えば、マンションでは、玄関の胴縁にドア枠体を取り付け、同ドア枠体に蝶番を介してドア体を開閉自在に取り付けている。
【０００３】
【発明が解決しようとする課題】
ところが、上記したドア体は、経時的に腐食等により美的外観が損なわれることより、ドア体の付け替えが望まれることがある。
【０００４】
このような場合に、新設ドア体を支持する既設の蝶番の形態があまりに古く、新設蝶番の形態や取付位置等が既設の蝶番のものと大きく異なる場合があり、このような場合には既設ドア枠体に補強部材を取り付けて、同補強部材を介して新設蝶番を取り付けるようにしているが、美的外観が今一つ良くない上に、新設蝶番を強固に取り付けることができないという不具合がある。
【０００５】
【課題を解決するための手段】
そこで、本発明では、既設ドア体を取り外した既設ドア枠体に、新設ドア枠体を外方より被覆する状態に取り付け、同新設ドア枠体に新設ドア体を開閉自在に取り付けることを特徴とするドア体取付構造を提供するものである。
【０００６】
また、本発明は、以下の構成にも特徴を有する。
【０００７】
（１）既設ドア体を取り外した既設ドア枠体の内周面に、取付用枠体を嵌合させて取り付け、同取付用枠体に外枠体を外方より取り付け、同外枠体の内周面に新設ドア枠体を嵌合状態に取り付け、同新設ドア枠体に新設ドア体を開閉自在に取り付けること。
【０００８】
（２）外枠体は、新設ドア枠体よりも上方へ伸延させて形成し、同外枠体の上部に外灯や表札等を取り付け可能な化粧パネルを張設すること。
【０００９】
【発明の実施の形態】
以下に、本発明の実施の形態について説明する。
【００１０】
すなわち、本発明に係るドア体取付構造は、既設ドア体を取り外した既設ドア枠体に、新設ドア枠体を外方より被覆する状態に取り付け、同新設ドア枠体に新設ドア体を開閉自在に取り付けるようにしている。
【００１１】
すなわち、既設ドア体を取り外した既設ドア枠体の内周面に、取付用枠体を嵌合させて取り付け、同取付用枠体に外枠体を外方より取り付け、同外枠体の内周面に新設ドア枠体を嵌合状態に取り付け、同新設ドア枠体に新設ドア体を開閉自在に取り付けるようにしている。
【００１２】
しかも、外枠体は、新設ドア枠体よりも上方へ伸延させて形成し、同外枠体の上部に外灯や表札等を取り付け可能な化粧パネルを張設するようにしている。
【００１３】
【実施例】
以下に、本発明の実施例を、図面を参照しながら説明する。
【００１４】
図１は、本発明に係るドア体取付構造Ａを具備するマンションＭの廊下Ｒの斜視図、図２は、同ドア体取付構造Ａの正面図（外観図）、図３は、同ドア体取付構造Ａの背面図（内観図）である。なお、以下本発明の説明において、便宜上、玄関口６の外方を前方とし、玄関口６の内方を後方として説明する。
【００１５】
本発明に係るドア体取付構造Ａは、図４〜図８にも示すように、既設ドア体Ｄ（図９参照）を取り外した既設ドア枠体１の内周面に、取付用枠体２を嵌合させて取り付け、同取付用枠体２に外枠体３を外方（前方）より取り付け、同外枠体３の内周面に新設ドア枠体４を嵌合状態に取り付け、同新設ドア枠体４に新設ドア体５を開閉自在に取り付けており、新設ドア枠体４により既設ドア枠体１を外方（前方）より被覆している。
【００１６】
既設ドア枠体１は、縦長四角の枠状に形成して、マンションＭの玄関口６に固設しており、内周面の内側半部にはドア体受け部１ａを形成している。Ｋはコーキング材である。
【００１７】
取付用枠体２は、上記既設ドア枠体１の内周面に沿って嵌合する取付用枠体本片２ａと、同取付用枠体本片２ａの後端縁部より略直角に外方へ張り出し状に形成して、既設ドア枠体１の後端面１ｂを被覆する被覆片２ｂとから形成している。
【００１８】
そして、取付用枠体２は、既設ドア枠体１にビスＢを介して取り付けるようにしている。２ｃはビス孔である。
【００１９】
外枠体３は、正面視門型に形成し、同外枠体３内に既設ドア枠体１と略同形状に形成した新設ドア枠体４を嵌合状態に取り付けて一体化しており、同外枠体３の上部は、新設ドア枠体４よりも上方へ伸延させて形成して、同外枠体３の上縁部３ａが廊下Ｒの天井部Ｔの近傍でかつ上部外壁Ｗの直前方に位置するようにしている。
【００２０】
そして、外枠体３の上縁部３ａの下面に上部取付用フランジ３ｂを下方へ突設すると共に、同外枠体３の左・右側縁部３ｃ，３ｃの各側面にそれぞれ左・右側取付用フランジ３ｄ，３ｄを内方へ突設している。
【００２１】
新設ドア枠体４は、前記したように既設ドア枠体１と略同形状に形成しており、同新設ドア枠体４の後面４ａにはその周縁に沿わせて四角形枠状の取付用フランジ部４ｂを後方へ向けて突設し、同取付用フランジ部４ｂを前記した取付用枠体本片２ａの前端部の外周面に内外側重合状態に嵌合させて、ビスＢにより連結するようにしている。
【００２２】
しかも、新設ドア枠体４の後面４ａの一部は、既設ドア枠体１の前面１ｃに面接触させると共に、溶接するようにしている。
【００２３】
また、新設ドア枠体４の上縁部４ｃの上面に上部取付用フランジ４ｅを上方へ突設すると共に、同新設ドア枠体４の左・右側縁部４ｆ，４ｆの各外側面にそれぞれ左・右側取付用フランジ４ｇ，４ｇを外方へ突設している。
【００２４】
そして、新設ドア枠体４の左・右側取付用フランジ４ｇ，４ｇと、前記した外枠体３の左・右側取付用フランジ３ｃ，３ｃを前後方向に重合させてビスＢにより一体的に連結するようにしている。
【００２５】
化粧パネル７は、後面開口の扁平な四角形箱形に形成したパネル本体７ａと、同パネル本体７ａの周縁部に形成した周縁フランジ７ｂとから形成しており、同周縁フランジ７ｂを、前記した取付用フランジ３ｂ，３ｄ，３ｄ，４ｅにビスＢにより取り付けて張設している。図８中、８，８’は、外枠体３を上部外壁Ｗに固定する固定体、９は、同固定体８に取り付けて化粧パネル７を支持する支持体である。
【００２６】
そして、化粧パネル７には、外灯１０と表札用室名札１１と表札掛け用フック１２とお飾り用フック１３を設けている。１４は角鋼体である。
【００２７】
新設ドア体５は、新設ドア枠体４の前側半部に形成したドア体嵌合部４ｈに嵌合させた閉塞位置と、同嵌合部４ｈより前方へ離脱させた開放位置との間で新設蝶番１５を介して開閉自在に取り付けている。４ｉはドア体受け部、１６はドアノブ、１７は郵便受け口、１８は郵便受体である。
【００２８】
次に、図９〜図１４を参照しながら、新設ドア体５を取り付ける手順について説明する。
【００２９】
（１）図９に示すように、既設ドア枠体１から既設ドア体Ｄを取り外す。
【００３０】
（２）図１０に示すように、既設ドア枠体１に取付用枠体２を室内側（後方）より嵌合させると共に、ビスＢにより取り付ける。
【００３１】
このようにして、取付用枠体２の取付用枠本片２ａと被覆片２ｂとにより既設ドア枠体１を被覆する。
【００３２】
（３）図１１に示すように、一体化した外枠体３と新設ドア枠体４とを、既設ドア枠体１の直前方に配置する。
【００３３】
（４）図１２に示すように、新設ドア枠体４の取付用フランジ部４ｂを、前記した取付用枠体本片２ａの前端部の外周面に内外側重合状態に嵌合させると共に、ビスＢにより連結する。
【００３４】
そして、新設ドア枠体４の後面４ａの一部は、既設ドア枠体１の前面１ｃに面接触させると共に、溶接する。
【００３５】
（５）図１３に示すように、新設ドア枠体４に新設蝶番１５を介して新設ドア体５を開閉自在に取り付ける。
【００３６】
（６）図１３に示すように、外枠体３と新設ドア枠体４にそれぞれ設けた取付用フランジ３ｂ，３ｄ，３ｄ，４ｅに、化粧パネル７の周縁フランジ７ｂをビスＢにより取り付けて、外枠体３の上部に化粧パネル７を張設する。
【００３７】
（７）図１４に示すように、所要の個所にコーキング材Ｋを充填する。
【００３８】
このようにして、既設ドア体Ｄから新設ドア体５への付け替え作業を簡単に行うことができる。
【００３９】
【発明の効果】
（１）請求項１記載の本発明では、既設ドア体を取り外した既設ドア枠体に、新設ドア枠体を外方より被覆する状態に取り付け、同新設ドア枠体に新設ドア体を開閉自在に取り付けている。
【００４０】
このようにして、既設ドア体を新設ドア体に付け替える必要性が生じた場合には、既設ドア枠体とは別に新設ドア枠体を外方より被覆する状態に取り付けることにより、同新設ドア枠体に、新設の蝶番を介して、新設ドア体を確実に取り付けることができる。
【００４１】
この際、新設ドア枠体は、既設ドア枠体を外方より被覆しているため、外部からは既設ドア枠体が見えず、新設ドア枠体と新設ドア体とにより、玄関の美的外観を向上させることができる。
【００４２】
そして、新設ドア体を開閉自在に支持する新設蝶番を、既設ドア体ではなく新設ドア枠体に取り付けるようにしているため、同新設ドア枠体に新設蝶番を介して新設ドア体を強固に取り付けることができる。
【００４３】
（２）請求項２記載の本発明では、既設ドア体を取り外した既設ドア枠体の内周面に、取付用枠体を嵌合させて取り付け、同取付用枠体に外枠体を外方より取り付け、同外枠体の内周面に新設ドア枠体を嵌合状態に取り付け、同新設ドア枠体に新設ドア体を開閉自在に取り付けている。
【００４４】
このようにして、既設ドア枠体を利用して取付用枠体を取り付け、同取付用枠体に外枠体を外方より取り付けて、同外枠体に新設ドア枠体を介して新設ドア体を取り付けるようにしているため、既設ドア体から新設ドア体への付け替え作業を簡単に行うことができる。
【００４５】
（３）請求項３記載の本発明では、外枠体は、新設ドア枠体よりも上方へ伸延させて形成し、同外枠体の上部に外灯や表札等を取り付け可能な化粧パネルを張設している。
【００４６】
このようにして、特に、マンションやアパートのような集合住宅においては、外灯や表札等を見栄え良く後付けすることが困難であるが、外枠体を介して化粧パネルを張設することにより、同化粧パネルに外灯や表札等を簡単にかつ見栄え良く後付けすることができる。
【図面の簡単な説明】
【図１】本発明に係るドア体取付構造を具備するマンションの廊下の斜視図。
【図２】同ドア体取付構造の正面図。
【図３】同ドア体取付構造の背面図。
【図４】同ドア体取付構造の斜視図。
【図５】同ドア体取付構造の分解斜視図。
【図６】同ドア体取付構造の縦断面図。
【図７】同ドア体取付構造の中央部横断面図。
【図８】同ドア体取付構造の上部横断面図。
【図９】取付説明図（既設ドア体を取り外した状態）。
【図１０】取付説明図（取付枠体を取り付ける状態）。
【図１１】取付説明図（外枠体と新設ドア枠体を取り付ける状態）。
【図１２】取付説明図（外枠体と新設ドア枠体を取り付けた状態）。
【図１３】取付説明図（新設ドア体と化粧パネルを取り付ける状態）。
【図１４】取付説明図（所要個所にコーキング材を充填する状態）。
【符号の説明】
Ａ　ドア体取付構造
１　既設ドア枠体
２　取付用枠体
３　外枠体
４　新設ドア枠体
５　新設ドア体
６　玄関口
７　化粧パネル
【図１】
2004027590.tif 000003
【図２】
2004027590.tif 000004
【図３】
2004027590.tif 000005
【図４】
2004027590.tif 000006
【図５】
2004027590.tif 000007
【図６】
2004027590.tif 000008
【図７】
2004027590.tif 000009
【図８】
2004027590.tif 000010
【図９】
2004027590.tif 000011
【図１０】
2004027590.tif 000012
【図１１】
2004027590.tif 000013
【図１２】
2004027590.tif 000014
【図１３】
2004027590.tif 000015
【図１４】
2004027590.tif 000016